(57)【特許請求の範囲】
【請求項１】
映像信号を出力する第１の映像装置に接続され、前記映像信号を無線送信する第１の映像装置用アダプタ装置と、
無線送信された前記映像信号を受信し、受信した前記映像信号を第２の映像装置に表示させる第２の映像装置用アダプタ装置とを備える無線通信システムであって、
前記第１の映像装置用アダプタ装置は、
第１の記憶部と、
無線送受信部と、
第１の制御部とを備え、
前記第１の制御部は、前記第２の映像装置に前記映像信号を無線送信する際に、
（ｉ）前記第２の映像装置に表示させることが可能な映像の仕様を示す第１の設定情報が前記第１の記憶部に格納されている場合には、前記第１の記憶部より前記第１の設定情報を取得し、取得した前記第１の設定情報を前記第１の映像装置に送信し、前記第１の映像装置から前記第１の設定情報に従った映像信号を受信し、かつ、受信した映像信号を前記無線送受信部に無線送信させ、
（ｉｉ）前記第１の設定情報が前記第１の記憶部に格納されていない場合には、前記第２の映像装置用アダプタ装置から前記第１の設定情報を取得し、取得した前記第１の設定情報を前記第１の映像装置に送信し、前記第１の映像装置から前記第１の設定情報に従った映像信号を受信し、受信した映像信号を前記無線送受信部に無線送信させ、かつ、前記第１の設定情報を前記第１の記憶部に格納し、
前記第２の映像装置用アダプタ装置は、
無線送受信部と、
前記第２の映像装置から取得した前記第１の設定情報を前記第１の映像装置用アダプタ装置に無線送信する第２の制御部と、
前記映像信号のフォーマットに一致するフォーマットを有するダミーの映像信号であるダミー信号を生成するダミー信号生成部と、
第２の記憶部とを備え、
前記第２の制御部は、
前記無線送受信部が受信した映像信号のフォーマットを特定するフォーマット情報を前記第２の記憶部に格納し、かつ、前記無線送受信部が前記映像信号を受信しているか否かを判定し、受信していない場合には、前記ダミー信号生成部に、前記第２の記憶部に格納されているフォーマット情報によって特定されるフォーマットを有するダミー信号を生成させ、前記第２の映像装置へ表示させる
無線通信システム。
【請求項２】
前記無線通信システムはさらに、前記映像信号を受信し、受信した前記映像信号を第３の映像装置に表示させる第３の映像装置用アダプタ装置を備え、
前記第１の映像装置用アダプタ装置と前記第２の映像装置用アダプタ装置は、前記映像信号を送受信するための第１無線チャネルで接続され、
前記第１の映像装置用アダプタ装置と前記第３の映像装置用アダプタ装置は、前記第１無線チャネルよりも低速な第２無線チャネルで接続されており、
前記第３の映像装置用アダプタ装置は、
無線送受信部と、
自身と前記第３の映像装置との接続が切断された後に、再度接続されたことを検出した場合には、前記第３の映像装置に表示させることが可能な映像の仕様を示す第２の設定情報を前記第３の映像装置から取得し、取得した前記第２の設定情報と、前記第３の映像装置に一意に対応付けられた識別情報とを含む制御信号を、前記第２無線チャネルを介して前記第１の映像装置用アダプタ装置に無線送信する第３の制御部とを備え、
前記第１の制御部は、前記制御信号を取得すると、前記識別情報と、前記第２の設定情報とを、相互に対応付けて前記第１の記憶部に格納する
請求項１記載の無線通信システム。
【請求項３】
前記第３の制御部は、前記第１の制御部が前記第２の映像装置用アダプタ装置に前記第１無線チャネルを介して前記映像信号を無線送信するのと並行して、前記第１の映像装置用アダプタ装置に前記第２無線チャネルを介して前記制御信号を無線送信する
請求項２記載の無線通信システム。
【請求項４】
前記識別情報は、前記第３の映像装置用アダプタ装置に一意に割り当てられた識別情報である
請求項２記載の無線通信システム。
【請求項５】
前記識別情報は、前記第３の映像装置に一意に割り当てられた識別情報である
請求項２記載の無線通信システム。
【請求項６】
請求項１記載の第２の映像装置用アダプタ装置。
【請求項７】
映像信号を無線送信する第１の映像装置と、無線送信された前記映像信号を受信し、受信した前記映像信号を表示させる第２の映像装置とを備えた無線通信システムであって、
前記第１の映像装置は、
第１の記憶部と、
無線送受信部と、
第１の制御部とを備え、
前記第１の制御部は、前記第２の映像装置に前記映像信号を無線送信する際に、
（ｉ）前記第２の映像装置に表示させることが可能な映像の仕様を示す第１の設定情報が前記第１の記憶部に格納されている場合には、前記第１の記憶部より前記第１の設定情報を取得し、取得した前記第１の設定情報に従った映像信号を前記無線送受信部に無線送信させ、
（ｉｉ）前記第１の設定情報が前記第１の記憶部に格納されていない場合には、前記第２の映像装置から前記第１の設定情報を取得し、取得した前記第１の設定情報に従った映像信号を前記無線送受信部に無線送信させ、かつ、前記第１の設定情報を前記第１の記憶部に格納し、
前記第２の映像装置は、
無線送受信部と、
前記第１の設定情報を前記第１の映像装置に無線送信する第２の制御部と、
前記映像信号のフォーマットに一致するフォーマットを有するダミーの映像信号であるダミー信号を生成するダミー信号生成部と、
第２の記憶部とを備え、
前記第２の制御部は、
前記無線送受信部が受信した映像信号のフォーマットを特定するフォーマット情報を前記第２の記憶部に格納し、かつ、前記無線送受信部が前記映像信号を受信しているか否かを判定し、受信していない場合には、前記ダミー信号生成部に、前記第２の記憶部に格納されているフォーマット情報によって特定されるフォーマットを有するダミー信号を生成させ、前記第２の映像装置へ表示させる
無線通信システム。
【請求項８】
請求項７記載の第２の映像装置。
【請求項９】
映像信号を出力する第１の映像装置に接続され、前記映像信号を無線送信する第１の映像装置用アダプタ装置と、
無線送信された前記映像信号を受信し、受信した前記映像信号を第２の映像装置に表示させる第２の映像装置用アダプタ装置とを備える無線通信システムの制御方法であって、
前記第１の映像装置用アダプタ装置は、
前記第２の映像装置に前記映像信号を無線送信する際に、
（ｉ）前記第２の映像装置に表示させることが可能な映像の仕様を示す第１の設定情報が第１の記憶部に格納されている場合には、前記第１の記憶部より前記第１の設定情報を取得し、取得した前記第１の設定情報を前記第１の映像装置に送信し、前記第１の映像装置から前記第１の設定情報に従った映像信号を受信し、かつ、受信した映像信号を無線送受信部に無線送信させ、
（ｉｉ）前記第１の設定情報が前記第１の記憶部に格納されていない場合には、前記第２の映像装置用アダプタ装置から前記第１の設定情報を取得し、取得した前記第１の設定情報を前記第１の映像装置に送信し、前記第１の映像装置から前記第１の設定情報に従った映像信号を受信し、受信した映像信号を前記無線送受信部に無線送信させ、かつ、前記第１の設定情報を前記第１の記憶部に格納し、
前記第２の映像装置用アダプタ装置は、
前記第２の映像装置から取得した前記第１の設定情報を前記第１の映像装置用アダプタ装置に無線送信し、
前記映像信号のフォーマットに一致するフォーマットを有するダミーの映像信号であるダミー信号を生成し、
無線送受信部が受信した映像信号のフォーマットを特定するフォーマット情報を第２の記憶部に格納し、かつ、前記無線送受信部が前記映像信号を受信しているか否かを判定し、受信していない場合には、ダミー信号生成部に、前記第２の記憶部に格納されているフォーマット情報によって特定されるフォーマットを有するダミー信号を生成させ、前記第２の映像装置へ表示させる
無線通信システムの制御方法。
【請求項１０】
映像信号を無線送信する第１の映像装置と、無線送信された前記映像信号を受信し、受信した前記映像信号を表示させる第２の映像装置とを備えた無線通信システムの制御方法であって、
前記第１の映像装置は、前記第２の映像装置に前記映像信号を無線送信する際に、
（ｉ）前記第２の映像装置に表示させることが可能な映像の仕様を示す第１の設定情報が第１の記憶部に格納されている場合には、前記第１の記憶部より前記第１の設定情報を取得し、取得した前記第１の設定情報に従った映像信号を無線送受信部に無線送信させ、
（ｉｉ）前記第１の設定情報が前記第１の記憶部に格納されていない場合には、前記第２の映像装置から前記第１の設定情報を取得し、取得した前記第１の設定情報に従った映像信号を前記無線送受信部に無線送信させ、かつ、前記第１の設定情報を前記第１の記憶部に格納し、
前記第２の映像装置は、
前記第１の設定情報を前記第１の映像装置に無線送信し、
前記映像信号のフォーマットに一致するフォーマットを有するダミーの映像信号であるダミー信号を生成し、
無線送受信部が受信した映像信号のフォーマットを特定するフォーマット情報を第２の記憶部に格納し、かつ、前記無線送受信部が前記映像信号を受信しているか否かを判定し、受信していない場合には、ダミー信号生成部に、前記第２の記憶部に格納されているフォーマット情報によって特定されるフォーマットを有するダミー信号を生成させ、前記第２の映像装置へ表示させる
無線通信システムの制御方法。
【請求項１１】
映像信号を出力する第１の映像装置に接続され、前記映像信号を無線送信する第１の映像装置用アダプタ装置と、
無線送信された前記映像信号を受信し、受信した前記映像信号を第２の映像装置に表示させる第２の映像装置用アダプタ装置とを備えた無線通信システムであって、
前記第２の映像装置用アダプタ装置は、
無線送受信部と、
前記映像信号のフォーマットに一致するフォーマットを有するダミーの映像信号であるダミー信号を生成するダミー信号生成部と、
第１の記憶部と、
前記無線送受信部が受信した映像信号のフォーマットを特定するフォーマット情報を前記第１の記憶部に格納し、かつ、前記無線送受信部が前記映像信号を受信しているか否かを判定し、受信していない場合には、前記ダミー信号生成部に、前記第１の記憶部に格納されているフォーマット情報によって特定されるフォーマットを有するダミー信号を生成させ、前記第２の映像装置へ表示させる第１の制御部とを備える
無線通信システム。
【請求項１２】
請求項１１記載の第２の映像装置用アダプタ装置。
【請求項１３】
映像信号を無線送信する第１の映像装置と、無線送信された前記映像信号を受信し、受信した前記映像信号を表示させる第２の映像装置とを備えた無線通信システムであって、
前記第２の映像装置は、
無線送受信部と、
前記映像信号のフォーマットに一致するフォーマットを有するダミーの映像信号であるダミー信号を生成するダミー信号生成部と、
第１の記憶部と、
前記無線送受信部が受信した映像信号のフォーマットを特定するフォーマット情報を前記第１の記憶部に格納し、かつ、前記無線送受信部で前記映像信号が受信されているか否かを判定し、受信されていないと判定した場合には、前記ダミー信号生成部に、前記第１の記憶部に格納されているフォーマット情報によって特定されるフォーマットを有するダミー信号を生成させ、前記第２の映像装置へ表示させる第１の制御部とを備える
無線通信システム。
【請求項１４】
請求項１３記載の第２の映像装置。
【請求項１５】
映像信号を出力する第１の映像装置に接続され、前記映像信号を無線送信する第１の映像装置用アダプタ装置と、
無線送信された前記映像信号を受信し、受信した前記映像信号を第２の映像装置に表示させる第２の映像装置用アダプタ装置とを備えた無線通信システムの制御方法であって、
前記第２の映像装置用アダプタ装置は、前記映像信号のフォーマットに一致するフォーマットを有するダミーの映像信号であるダミー信号を生成し、
前記第２の映像装置用アダプタ装置は、無線送受信部が受信した映像信号のフォーマットを特定するフォーマット情報を第１の記憶部に格納し、かつ、前記無線送受信部が前記映像信号を受信しているか否かを判定し、受信していない場合には、ダミー信号生成部に、前記第１の記憶部に格納されているフォーマット情報によって特定されるフォーマットを有するダミー信号を生成させ、前記第２の映像装置へ表示させる
無線通信システムの制御方法。
【請求項１６】
映像信号を無線送信する第１の映像装置と、無線送信された前記映像信号を受信し、受信した前記映像信号を表示させる第２の映像装置とを備えた無線通信システムの制御方法であって、
前記第２の映像装置は、前記映像信号のフォーマットに一致するフォーマットを有するダミーの映像信号であるダミー信号を生成し、
前記第２の映像装置は、無線送受信部が受信した映像信号のフォーマットを特定するフォーマット情報を第１の記憶部に格納し、かつ、前記無線送受信部で前記映像信号が受信されているか否かを判定し、受信されていないと判定した場合には、ダミー信号生成部に、前記第１の記憶部に格納されているフォーマット情報によって特定されるフォーマットを有するダミー信号を生成させ、前記第２の映像装置へ表示させる
無線通信システムの制御方法。
【発明の詳細な説明】
【技術分野】
【０００１】
本発明は、ＨＤＭＩ（High-Definition Multimedia Interface）規格に従って映像信号を無線送受信する無線通信システムにおいて、表示手段の設定情報の中継伝送を可能とする無線通信システム、映像装置用アダプタ装置、及びその制御方法に関するものである。
【背景技術】
【０００２】
ＨＤＭＩ（High-Definition Multimedia Interface）におけるＥＤＩＤ（Extended Display Identification Data）情報を無線で中継伝送する伝送システムが特許文献１に開示されている。
【０００３】
図１５は、従来の無線通信システムの構成を示すブロック図である。従来の無線通信システムは、ソース装置１５０１と、シンク装置１５０４と、ソース装置用アダプタ装置１５０２及びシンク装置用アダプタ装置１５０３とを備えて構成される。
【０００４】
まず、シンク装置用アダプタ装置１５０３の制御部１５１４は、有線送受信部１５１３、ケーブルＣ２、有線送受信部１５１７、制御部１５１８を介して、記憶部１５１９からＥＤＩＤテーブル１５２０を読み出して、記憶部１５１５のＥＤＩＤテーブル１５１６に格納する。
【０００５】
ソース装置１５０１はケーブルＣ１、有線送受信部１５０５、無線送受信部１５０６、アンテナ１５１０を介して、シンク装置１５０４に認証要求信号を無線送信する。シンク装置１５０４は、アンテナ１５１１、無線送受信部１５１２、有線送受信部１５１３、ケーブルＣ２を介して受信した認証要求信号に応答して認証処理を実行した後、ケーブルＣ２、シンク装置用アダプタ装置１５０３を介してソース装置１５０１に認証応答信号を無線送信する。ソース装置１５０１は、アンテナ１５１０、無線送受信部１５０６、有線送受信部１５０５、ケーブルＣ１を介して認証応答信号を受信した後、ケーブルＣ１、ソース装置用アダプタ装置１５０２を介して、ＥＤＩＤ要求信号をシンク装置１５０４に無線送信する。
【０００６】
シンク装置用アダプタ装置１５０３の制御部１５１４は、アンテナ１５１１、無線送受信部１５１２を介して受信したＥＤＩＤ要求信号に応答して、記憶部１５１５内に格納しているＥＤＩＤテーブル１５１６に格納されているＥＤＩＤ情報を含むＥＤＩＤ応答信号を生成し、ソース装置１５０１に無線送信する。
【０００７】
ソース装置用アダプタ装置１５０２の制御部１５０７は、アンテナ１５１０、無線送受信部１５０６を介してＥＤＩＤ応答信号を受信し、ＥＤＩＤ応答信号に含まれるシンク装置１５０４のＥＤＩＤ情報を記憶部１５０８内のＥＤＩＤテーブル１５０９に格納する。
【０００８】
ソース装置１５０１はケーブルＣ１、有線送受信部１５０５、無線送受信部１５０６、アンテナ１５１０を介して、接続完了通知信号をシンク装置１５０４に無線送信する。シンク装置１５０４は、シンク装置用アダプタ装置１５０３、ケーブルＣ２を介して、接続完了通知信号を受信すると、接続完了応答信号をケーブルＣ２、シンク装置用アダプタ装置１５０３を介して、ソース装置１５０１に無線送信する。
【０００９】
以上の無線接続処理の完了後、シンク装置１５０４から通信相手としてソース装置１５０１を選択するための装置指定信号がケーブルＣ２、シンク装置用アダプタ装置１５０３を介して無線送信される。ソース装置用アダプタ装置１５０２、ケーブルＣ１を介して装置指定信号を受信したソース装置１５０１は、装置指定信号に応答してＡＣＫ信号をシンク装置１５０４に無線送信する。その後、シンク装置１５０４及びソース装置１５０１間のＡＶデータ伝送処理がソース装置用アダプタ装置１５０２、シンク装置用アダプタ装置１５０３を介して開始される。
【００１０】
以上説明したように、前記特許文献１に記載された従来の無線通信システムによれば、有線インタフェースしか備えていないシンク装置１５０４及びソース装置１５０１において、シンク装置１５０４にシンク装置用アダプタ装置１５０３を装着し、ソース装置１５０１にソース装置用アダプタ装置１５０２を装着することで、シンク装置１５０４及びソース装置１５０１は、ＥＤＩＤ情報を、無線回線を介して送受信することが可能となる。
【先行技術文献】
【特許文献】
【００１１】
【特許文献１】特開２００８−０２２５６０号公報
【非特許文献】
【００１２】
【非特許文献１】High-Definition Multimedia Interface Specification,Version 1.1,HDMI Licensing,LLC,California in U.S.A.,May20,2004.
【発明の概要】
【発明が解決しようとする課題】
【００１３】
しかしながら、上記特許文献１に係る無線通信システムにおいて、ソース装置が、複数あるシンク装置のうちのいずれかを接続先として選択し、切り替える場合、切り替える度に、接続先のＥＤＩＤ情報を取得する必要が生じる。
【００１４】
本発明は、上記従来の課題を解決するもので、シンク装置の接続先が切り替わった場合に、切替先との接続時間を短縮できる無線通信アダプタ装置を提供することを目的とする。
【課題を解決するための手段】
【００１５】
本発明のある局面に係る無線通信システムは、映像信号を出力する第１の映像装置に接続され、前記映像信号を無線送信する第１の映像装置用アダプタ装置と、無線送信された前記映像信号を受信し、受信した前記映像信号を第２の映像装置に表示させる第２の映像装置用アダプタ装置とを備える無線通信システムであって、前記第１の映像装置用アダプタ装置は、第１の記憶部と、無線送受信部と、第１の制御部とを備え、前記第１の制御部は、前記第２の映像装置に前記映像信号を無線送信する際に、（ｉ）前記第２の映像装置に表示させることが可能な映像の仕様を示す第１の設定情報が前記第１の記憶部に格納されている場合には、前記第１の記憶部より前記第１の設定情報を取得し、取得した前記第１の設定情報を前記第１の映像装置に送信し、前記第１の映像装置から前記第１の設定情報に従った映像信号を受信し、かつ、受信した映像信号を前記無線送受信部に無線送信させ、（ｉｉ）前記第１の設定情報が前記第１の記憶部に格納されていない場合には、前記第２の映像装置用アダプタ装置から前記第１の設定情報を取得し、取得した前記第１の設定情報を前記第１の映像装置に送信し、前記第１の映像装置から前記第１の設定情報に従った映像信号を受信し、受信した映像信号を前記無線送受信部に無線送信させ、かつ、前記第１の設定情報を前記第１の記憶部に格納し、前記第２の映像装置用アダプタ装置は、無線送受信部と、前記第２の映像装置から取得した前記第１の設定情報を前記第１の映像装置用アダプタ装置に無線送信する第２の制御部とを備える。
【００１６】
この構成によると、第１の映像装置（ソース装置）用アダプタ装置は、映像信号を無線送信したことのある第２の映像装置（シンク装置）の設定情報の履歴を、第２の映像装置に一意に対応付けられた識別情報と対応付けて記憶部に格納することができる。その結果、第１の映像装置用アダプタ装置は、かつて映像信号を無線送信したことのある第２の映像装置へ再度映像信号を送る際には、自身の記憶部を参照して設定情報を取得できる。その結果、設定情報を取得する処理を省略でき、第２の映像装置の切替時間を短縮することができる。
【００１７】
また、前記無線通信システムはさらに、前記映像信号を受信し、受信した前記映像信号を第３の映像装置に表示させる第３の映像装置用アダプタ装置を備え、前記第１の映像装置用アダプタ装置と前記第２の映像装置用アダプタ装置は、前記映像信号を送受信するための第１無線チャネルで接続され、前記第１の映像装置用アダプタ装置と前記第３の映像装置用アダプタ装置は、前記第１無線チャネルよりも低速な第２無線チャネルで接続されており、前記第３の映像装置用アダプタ装置は、無線送受信部と、自身と前記第３の映像装置との接続が切断された後に、再度接続されたことを検出した場合には、前記第３の映像装置に表示させることが可能な映像の仕様を示す第２の設定情報を前記第３の映像装置から取得し、取得した前記第２の設定情報と、前記第３の映像装置に一意に対応付けられた識別情報とを含む制御信号を、前記第２無線チャネルを介して前記第１の映像装置用アダプタ装置に無線送信する第３の制御部とを備え、前記第１の制御部は、前記制御信号を取得すると、前記識別情報と、前記第２の設定情報とを、相互に対応付けて前記第１の記憶部に格納する。
【００１８】
さらに、前記第３の制御部は、前記第１の制御部が前記第２の映像装置用アダプタ装置に前記第１無線チャネルを介して前記映像信号を無線送信するのと並行して、前記第１の映像装置用アダプタ装置に前記第２無線チャネルを介して前記制御信号を無線送信する。
【００１９】
この構成によると、第３の映像装置（シンク装置）用アダプタ装置は、第３の映像装置との接続が一旦切れた後に再接続されたことを検出すると、第３の映像装置の設定情報を再取得する。その結果、第３の映像装置用アダプタ装置は、再接続前と異なる設定情報を有する第３の映像装置が接続された場合であっても、自身に接続されている最新の第３の映像装置の設定情報を知ることができる。
【００２０】
さらに、第２の映像装置用アダプタ装置が、第１の映像装置用アダプタ装置から高速の第１無線チャネルを介して映像信号を受信しているのと並行して、第３の映像装置用アダプタ装置は、低速の第２無線チャネルを介して第１の映像装置用アダプタ装置に、最新の第３の映像装置の設定情報を送信する。その結果、第１の映像装置用アダプタ装置は、自身の記憶部に第３の映像装置と対応付けられて格納されている設定情報を更新することができる。このように、現在接続されていないシンク装置に関する設定情報の更新を、映像信号の送受信処理のバックグラウンドで行うことで、シンク装置が第２の映像装置から第３の映像装置に切り替えられた場合の切替時間を短縮することができる。
【００２１】
なお、前記識別情報は、前記第３の映像装置用アダプタ装置に一意に割り当てられた識別情報としてもよい。
【００２２】
または、前記識別情報は、前記第３の映像装置に一意に割り当てられた識別情報としてもよい。
【００２３】
また、映像信号を無線送信する第１の映像装置と、無線送信された前記映像信号を受信し、受信した前記映像信号を表示させる第２の映像装置とを備えた無線通信システムであって、前記第１の映像装置は、第１の記憶部と、無線送受信部と、第１の制御部とを備え、前記第１の制御部は、前記第２の映像装置に前記映像信号を無線送信する際に、（ｉ）前記第２の映像装置に表示させることが可能な映像の仕様を示す第１の設定情報が前記第１の記憶部に格納されている場合には、前記第１の記憶部より前記第１の設定情報を取得し、取得した前記第１の設定情報に従った映像信号を前記無線送受信部に無線送信させ、（ｉｉ）前記第１の設定情報が前記第１の記憶部に格納されていない場合には、前記第２の映像装置から前記第１の設定情報を取得し、取得した前記第１の設定情報に従った映像信号を前記無線送受信部に無線送信させ、かつ、前記第１の設定情報を前記第１の記憶部に格納し、前記第２の映像装置は、無線送受信部と、前記第１の設定情報を前記第１の映像装置に無線送信する第２の制御部とを備えるとしてもよい。
【００２４】
この構成によると、アダプタ装置を備えずとも、映像装置にアダプタ装置に該当する構成を組み込むことで、切替時間の短縮とともに、小型化や低コスト化を行うことができる。
【００２５】
また、前記第２の映像装置用アダプタ装置は、さらに、前記映像信号のフォーマットに一致するフォーマットを有するダミーの映像信号であるダミー信号を生成するダミー信号生成部と、第２の記憶部とを備え、前記第２の制御部は、前記無線送受信部が受信した映像信号のフォーマットを特定するフォーマット情報を前記第２の記憶部に格納し、かつ、前記無線送受信部が前記映像信号を受信しているか否かを判定し、受信していない場合には、前記ダミー信号生成部に、前記第２の記憶部に格納されているフォーマット情報によって特定されるフォーマットを有するダミー信号を生成させ、前記第２の映像装置へ表示させてもよい。
【００２６】
本発明の他の局面に係る無線通信システムは、映像信号を出力する第１の映像装置に接続され、前記映像信号を無線送信する第１の映像装置用アダプタ装置と、無線送信された前記映像信号を受信し、受信した前記映像信号を第２の映像装置に表示させる第２の映像装置用アダプタ装置とを備えた無線通信システムであって、前記第２の映像装置用アダプタ装置は、無線送受信部と、前記映像信号のフォーマットに一致するフォーマットを有するダミーの映像信号であるダミー信号を生成するダミー信号生成部と、第１の記憶部と、前記無線送受信部が受信した映像信号のフォーマットを特定するフォーマット情報を前記第１の記憶部に格納し、かつ、前記無線送受信部が前記映像信号を受信しているか否かを判定し、受信していない場合には、前記ダミー信号生成部に、前記第１の記憶部に格納されているフォーマット情報によって特定されるフォーマットを有するダミー信号を生成させ、前記第２の映像装置へ表示させる第１の制御部とを備える。
【００２７】
この構成によると、第２の映像装置用アダプタ装置は、第１の映像装置用アダプタ装置から無線送信される映像信号が途絶えると、受信していた第１の映像信号のフォーマット情報に一致するフォーマット情報を有するダミー信号を生成し、第２の映像装置へ出力する。これにより、通常であれば、第１の映像装置用アダプタ装置からの映像信号が途絶えることにより切断される第２の映像装置と第２の映像装置用アダプタ装置との間の同期を、ダミー信号により維持することができる。その結果、再度、第１の映像装置用アダプタ装置から映像信号を受信した場合には、再度、同期処理を行うことなく、第２の映像装置用アダプタ装置から第２の映像装置へ映像信号を出力することができる。すなわち、シンク装置の切替時間を短縮することができる。
【００２８】
また、映像信号を無線送信する第１の映像装置と、無線送信された前記映像信号を受信し、受信した前記映像信号を表示させる第２の映像装置とを備えた無線通信システムであって、前記第２の映像装置は、無線送受信部と、前記映像信号のフォーマットに一致するフォーマットを有するダミーの映像信号であるダミー信号を生成するダミー信号生成部と、第１の記憶部と、前記無線送受信部が受信した映像信号のフォーマットを特定するフォーマット情報を前記第１の記憶部に格納し、かつ、前記無線送受信部で前記映像信号が受信されているか否かを判定し、受信されていないと判定した場合には、前記ダミー信号生成部に、前記第１の記憶部に格納されているフォーマット情報によって特定されるフォーマットを有するダミー信号を生成させ、前記第２の映像装置へ表示させる第１の制御部とを備えてもよい。
【００２９】
この構成によると、アダプタ装置を備えずとも、映像装置にアダプタ装置に該当する構成を組み込むことで、切替時間の短縮とともに、小型化や低コスト化を行うことができる。
【００３０】
なお、本発明は、このような無線通信システム及び映像装置用アダプタ装置として実現できるだけでなく、無線通信システムで実行される特徴的な手段をステップとする無線通信システムの制御方法として実現したり、そのような特徴的なステップをコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。
【００３１】
さらに、本発明は、このような無線通信システム及び映像装置用アダプタ装置の機能の一部又は全てを実現する半導体集積回路（ＬＳＩ）として実現してもよい。
【発明の効果】
【００３２】
以上のように、本発明の無線通信装置によれば、一度無線接続した機器のＥＤＩＤ情報を再度取得しなくてもよい。よって、無線接続先を切り替える場合の切替時間を短縮することができる。
【図面の簡単な説明】
【００３３】
【図１】図１は、本発明の実施の形態１における無線通信システムの一構成例を示すブロック図である。
【図２】図２は、本発明の実施の形態１におけるソース装置用アダプタ装置の一構成例を示すブロック図である。
【図３】図３は、本発明の実施の形態１におけるシンク装置用アダプタ装置の一構成例を示すブロック図である。
【図４】図４は、本発明のＥＤＩＤ管理テーブルの一例を示すテーブル図である。
【図５】図５は、本発明の実施の形態１におけるＥＤＩＤ要求信号のフォーマットを示す図である。
【図６】図６は、本発明の実施の形態１におけるＥＤＩＤ応答信号のフォーマットを示す図である。
【図７】図７は、本発明の実施の形態１における制御部２０３のＥＤＩＤ取得処理を示すフローチャートである。
【図８】図８は、本発明の実施の形態１における接続切替を示すシーケンス図である。
【図９】図９は、本発明の実施の形態２におけるシンク装置用アダプタ装置の一構成例を示すブロック図である。
【図１０】図１０は、本発明の実施の形態２におけるフォーマット情報テーブルの一例を示す図である。
【図１１】図１１は、本発明の実施の形態２における制御部９０４のダミー信号生成処理を示すフローチャートである。
【図１２】図１２は、本発明の実施の形態２においてダミー信号生成のタイミングを示すシーケンス図である。
【図１３】図１３は、本発明におけるソース装置の一構成例を示すブロック図である。
【図１４】図１４は、本発明におけるシンク装置の一構成例を示すブロック図である。
【図１５】図１５は、従来の無線通信システムの構成を示すブロック図である。
【発明を実施するための形態】
【００３４】
以下に、本発明の実施の形態について、図面を参照しながら説明する。
【００３５】
（実施の形態１）
図１は、本発明の実施の形態１に係る無線通信システム１００の構成を示すブロック図である。
【００３６】
図１において、本実施の形態に係る無線通信システム１００は、例えばＤＶＤプレーヤなどを含むソース装置１０１と、例えばテレビジョン受像機等を含むシンク装置１０２及びシンク装置１０３と、ソース装置用アダプタ装置１０４と、シンク装置用アダプタ装置１０５と、シンク装置用アダプタ装置１０６とを備えて構成される。
【００３７】
図１においては、一例として、１台のソース装置１０１と２台のシンク装置１０２、シンク装置１０３とが無線通信する場合について図示するが、ソース装置及びシンク装置の数はこれに限定するものではない。
【００３８】
例えば、１台のソース装置と３台以上のシンク装置とが無線通信しても、２台以上のソース装置と２台のシンク装置とが無線通信してもよい。また、ソース装置用アダプタ装置、シンク装置用アダプタ装置にそれぞれ、複数のソース装置、シンク装置が接続されていても構わない。
【００３９】
ソース装置１０１、シンク装置１０２、シンク装置１０３は、ＨＤＭＩの従来の有線インタフェースのみを備えた装置として構成され、ソース装置用アダプタ装置１０４、シンク装置用アダプタ装置１０５、シンク装置用アダプタ装置１０６は、無線インタフェースと、ＨＤＭＩの従来の有線インタフェースとを備えた装置として構成される。
【００４０】
また、ソース装置１０１とソース装置用アダプタ装置１０４はケーブル１０７で接続され、シンク装置用アダプタ装置１０５とシンク装置１０２はケーブル１０８で接続され、シンク装置用アダプタ装置１０６とシンク装置１０３はケーブル１０９で接続され、これらの装置は互いに有線インタフェースを用いてデータの伝送を行う。
【００４１】
ケーブル１０７〜ケーブル１０９は、例えばＨＤＭＩケーブル等である。
【００４２】
また、ソース装置用アダプタ装置１０４及びシンク装置用アダプタ装置１０５、並びに、ソース装置用アダプタ装置１０４及びシンク装置用アダプタ装置１０６は、互いに無線インタフェースを用いて無線区間を介してデータの伝送を行う。
【００４３】
無線インタフェースとは、具体的には、無線ＬＡＮ(Local Area Network)や、Ｔｒａｎｓｆｅｒ  Ｊｅｔ（登録商標）等が想定されるが、赤外線等、任意の電磁波を使用したものであってもよい。
【００４４】
図１において、本実施の形態に係る無線通信システム１００は、例えばテレビジョン受像機等を含む２台のシンク装置と、例えばＤＶＤプレーヤ等を含む１台のソース装置とを備えて構成される。
【００４５】
図２は、本実施の形態に係るソース装置用アダプタ装置の詳細な一構成例を示すブロック図である。
【００４６】
図２において、ソース装置用アダプタ装置１０４は、有線送受信部２０１と、無線送受信部２０２と、制御部２０３と、記憶部２０４と、ＥＤＩＤテーブル２０５と、ＥＤＩＤ管理テーブル２０６と、アンテナ２０７とを備えて構成される。
【００４７】
有線送受信部２０１は、ケーブル１０７を介してソース装置１０１から受信したＡＶ信号を、無線送受信部２０２及びアンテナ２０７を介してシンク装置用アダプタ装置１０５又はシンク装置用アダプタ装置１０６に送信する。有線送受信部２０１は、また、アンテナ２０７及び無線送受信部２０２を介してシンク装置用アダプタ装置１０５又はシンク装置用アダプタ装置１０６から受信した制御信号を、ケーブル１０７を介してソース装置１０１に送信する。
【００４８】
ここで、ＡＶ信号とは、ソース装置１０１に含まれるコンテンツに復号処理等の再生処理を施し得られる映像信号ある。なお、ＡＶ信号は映像信号に加え、音声信号を含んでもよい。
【００４９】
また、制御信号とは、ソース装置１０１、ソース装置用アダプタ装置１０４、シンク装置用アダプタ装置１０５、シンク装置用アダプタ装置１０６、シンク装置１０２及び、シンク装置１０３の各装置の間で、認証処理や映像信号の同期処理等、ソース装置１０１からシンク装置へ、シンク装置が表示可能なフォーマットでＡＶ信号を送信するための処理に必要な信号である。より具体的には、後述する、認証要求信号、認証応答信号、ＥＤＩＤ要求信号、ＥＤＩＤ応答信号、接続完了通知信号及び接続完了応答信号等であるが、上記目的の範囲内でこれに限られない。
【００５０】
無線送受信部２０２は、ケーブル１０７を介して、ソース装置１０１より読み出したＡＶ信号に含まれる映像信号及び音声信号をエンコードして送信パケットを生成する。次に、所定の周波数を有する搬送波を、生成された送信パケットに従って変調することにより、無線ＡＶ信号を生成し、アンテナ２０７を介してシンク装置用アダプタ装置１０５又はシンク装置用アダプタ装置１０６に送信する。
【００５１】
無線送受信部２０２は、また、制御部２０３から出力される制御信号をエンコードすることで送信パケットを生成する。次に、所定の周波数を有する搬送波を、生成された送信パケットに従って変調することにより、制御信号を生成し、アンテナ２０７を介してシンク装置用アダプタ装置１０５又はシンク装置用アダプタ装置１０６に送信する。
【００５２】
また、無線送受信部２０２は、シンク装置用アダプタ装置１０５又はシンク装置用アダプタ装置１０６から送信された所定の周波数を有する無線制御信号を、アンテナ２０７を介して受信する。次に、受信した制御信号に対して、周波数変換処理、受信パケット処理及びデコード処理を行い、得られた制御信号を制御部２０３に出力する。
【００５３】
制御部２０３は、アンテナ２０７及び無線送受信部２０２を介してシンク装置用アダプタ装置１０５又はシンク装置用アダプタ装置１０６から受信した制御信号に基づいて、無線接続処理（図８を参照して後述する。）を実行する。また、制御部２０３は、記憶部２０４からのＥＤＩＤ情報の読み出し及び記憶部２０４へのＥＤＩＤ情報の書き込みを行う。
【００５４】
記憶部２０４は、例えば、ＤＲＡＭ（Dynamic Random Access Memory）等の半導体記憶素子である。記憶部２０４は、現在、接続中であるシンク装置のＥＤＩＤ情報を格納しているＥＤＩＤテーブル２０５と、過去に接続されたシンク装置のＥＤＩＤ情報の履歴を管理するＥＤＩＤ管理テーブル２０６とを備える。なお、ソース装置用アダプタ装置が、現在、シンク装置に無線接続されていない場合には、ＥＤＩＤテーブル２０５には、前回の無線接続先であるシンク装置のＥＤＩＤ情報が格納されている。
【００５５】
例えば、ソース装置１０１は、ケーブル１０７、有線送受信部２０１を介して、ＥＤＩＤテーブル２０５から、接続先のシンク装置が有するＥＤＩＤ情報を取得する。
【００５６】
図３は、本実施の形態に係るシンク装置用アダプタ装置の詳細な一構成例を示すブロック図である。
【００５７】
図３において、シンク装置用アダプタ装置１０５及びシンク装置用アダプタ装置１０６は、アンテナ３０１と、無線送受信部３０２と、有線送受信部３０３と、制御部３０４と、記憶部３０５と、ＥＤＩＤテーブル３０６とを備えて構成される。シンク装置用アダプタ装置１０５及びシンク装置用アダプタ装置１０６は同じ構成を取るので、ここでは、シンク装置用アダプタ装置１０５について説明する。
【００５８】
無線送受信部３０２は、アンテナ３０１を介してソース装置用アダプタ装置１０４から送信された無線ＡＶ信号を受信する。次に、無線送受信部３０２は、取得した無線ＡＶ信号に対して、周波数変換処理、受信パケット処理及びデコード処理を行った後、処理後の映像信号及び音声信号を含むＡＶ信号を、有線送受信部３０３及びケーブル１０８を介して、シンク装置１０２に出力する。
【００５９】
また、無線送受信部３０２は、アンテナ３０１を介して受信された制御信号に対して、周波数変換処理、受信パケット処理及びデコード処理を行った後、処理後の制御信号を制御部３０４に出力する。
【００６０】
無線送受信部３０２は、また、制御部３０４から出力される制御信号をエンコードし、送信パケットを生成する。次に、無線送受信部３０２は、生成した送信パケットを所定の周波数を有する搬送波に従って変調することにより、制御信号を生成し、アンテナ３０１を介してソース装置用アダプタ装置１０４に送信する。
【００６１】
有線送受信部３０３は、ＡＶ信号を、ケーブル１０８を介してシンク装置１０２に送信するとともに、ケーブル１０８を介してシンク装置１０２からＥＤＩＤ情報を受信して、制御部３０４に出力する。
【００６２】
制御部３０４は、例えば、シンク装置用アダプタ装置１０５の機器ＩＤをソース装置用アダプタ装置１０４に通知するための制御信号等を生成して無線送受信部３０２に出力する。
【００６３】
ここで、機器ＩＤとは、例えば、シンク装置用アダプタ装置が備える無線通信インタフェースのＭＡＣ（Media Access Control）アドレスなど、シンク装置又はこれと対応付けられたシンク装置用アダプタ装置を一意に識別できる情報である。
【００６４】
制御部３０４は、また、アンテナ３０１及び無線送受信部３０２を介してソース装置用アダプタ装置１０４から受信した制御信号に基づいて、無線接続処理（図８を参照して後述する。）を実行する。また、制御部３０４は、有線送受信部３０３、ケーブル１０８を介してシンク装置１０２からＥＤＩＤ情報を取得する。さらに、制御部３０４は、取得したＥＤＩＤ情報を、記憶部３０５が備えるＥＤＩＤテーブルへ格納し、また、必要に応じて読み出す。具体的には、制御部３０４は、記憶部３０５が備えるＥＤＩＤテーブル３０６に、シンク装置１０２のＥＤＩＤ情報を格納する。
【００６５】
図４は、ソース装置用アダプタ装置１０４が備える記憶部２０４が有するＥＤＩＤ管理テーブルに格納されているデータ構造の一例を示す図である。
【００６６】
図４に示されるように、ＥＤＩＤ管理テーブルは、ソース装置用アダプタ装置１０４との間で無線接続処理が完了したシンク装置用アダプタ装置の機器ＩＤ（例えば、無線インタフェースのＭＡＣアドレス等）と、該アダプタ装置が保持するＥＤＩＤテーブルが互いに対応付けられて格納されている。
【００６７】
例えば、機器ＩＤが、「１．０．０．０」であるシンク装置用アダプタ装置には、ＥＤＩＤとしてＥＤＩＤ１が対応付けられている。これは、ソース装置用アダプタ装置１０４がソース装置１０１へ、シンク装置のＥＤＩＤ情報を通知する際に、機器ＩＤが「１．０．０．０」であるシンク装置用アダプタ装置に接続されているシンク装置のＥＤＩＤ情報をＥＤＩＤ１と推定することを意味する。
【００６８】
図５及び図６は、それぞれＥＤＩＤ要求信号及びＥＤＩＤ応答信号の各フォーマットの一例を示す図である。
【００６９】
図５において、ＥＤＩＤ要求信号のフォーマットは、宛先機器ＩＤ領域５０１と、送信元機器ＩＤ領域５０２と、シーケンス番号領域５０３と、ＥＤＩＤ要求信号のタイプを示すタイプ領域５０４とを含む。
【００７０】
宛先機器ＩＤ領域５０１には、ＥＤＩＤ要求信号を送信する宛先の装置であるシンク装置用アダプタ装置１０５又はシンク装置用アダプタ装置１０６の機器ＩＤが格納される。送信元機器ＩＤ領域５０２には、ＥＤＩＤ要求信号を送信する送信元の装置であるソース装置用アダプタ装置１０４の機器ＩＤが格納される。シーケンス番号領域５０３には、制御部２０３内の内部カウンタに従ったシーケンス番号が格納される。タイプ領域５０４には、必要に応じてＥＤＩＤ要求信号のタイプを示す値を格納する。
【００７１】
図６において、ＥＤＩＤ応答信号のフォーマットは、宛先機器ＩＤ領域６０１と、送信元機器ＩＤ領域６０２と、シーケンス番号領域６０３と、タイプ領域６０４と、ＥＤＩＤ情報領域６０５とを含む。
【００７２】
宛先機器ＩＤ領域６０１には、ＥＤＩＤ応答信号を送信する宛先の装置であるソース装置用アダプタ装置１０４の機器ＩＤが格納される。送信元機器ＩＤ領域６０２には、ＥＤＩＤ応答信号を送信する送信元の装置であるシンク装置用アダプタ装置１０５又はシンク装置用アダプタ装置１０６の機器ＩＤが格納される。シーケンス番号領域６０３には、図５のＥＤＩＤ要求信号のシーケンス番号領域５０３に含まれる値と同一の値が格納される。タイプ領域６０４には、必要に応じてＥＤＩＤ応答信号のタイプを示す値が格納される。ＥＤＩＤ情報領域６０５には、シンク装置用アダプタ装置１０５又はシンク装置用アダプタ装置１０６内の記憶部３０５が有するＥＤＩＤテーブル３０６から読み出されたＥＤＩＤ情報が格納される。
【００７３】
図７は、図２のソース装置用アダプタ装置１０４の制御部２０３によるＥＤＩＤ取得処理を示すフローチャートである。
【００７４】
図７のステップＳ７０１において、制御部２０３は、これから接続しようとするシンク装置用アダプタ装置１０５又はシンク装置用アダプタ装置１０６とＨＤＭＩの認証処理を行う。
【００７５】
認証処理では、ソース装置用アダプタ装置１０４は、接続しようとするシンク装置用アダプタ装置に対して、認証の開始を要求する制御信号である認証要求信号を送信する。
【００７６】
シンク装置用アダプタ装置は、ソース装置用アダプタ装置１０４から受信した認証要求信号に含まれる情報などを元に認証応答情報を生成し、認証応答情報を含む制御信号である認証応答信号をソース装置１０１へ向けて送信する。その際、シンク装置用アダプタ装置は、自身の機器ＩＤを認証応答信号に含めて、ソース装置用アダプタ装置１０４へ送信する。
【００７７】
ステップＳ７０２において、制御部２０３は、一定時間内に認証応答信号を受信し、認証応答信号に含まれる認証応答情報が正規であると判断された場合、認証が完了したと判断し（Ｓ７０２でＹＥＳ）、ステップＳ７０３に進む。一方、制御部２０３が一定時間内に認証応答信号を受信できなかった、または、認証応答情報が不正規であると判断されたときは（Ｓ７０２でＮＯ）、ステップＳ７０２に戻って認証処理を繰り返す。
【００７８】
なお、ソース装置用アダプタ装置１０４は、ソース装置１０１からＨＤＭＩに基づく認証要求信号を受信したことをトリガーとして、シンク装置用アダプタ装置との認証処理を開始してもよい。この場合、ソース装置用アダプタ装置１０４は、この認証処理の結果を、ＨＤＭＩに基づく認証応答信号に反映させてソース装置１０１に通知することにより、ソース装置１０１及びソース装置用アダプタ装置１０４を繋ぐ区間におけるＨＤＭＩに基づく機器認証と、無線で接続された区間における機器認証（すなわち、ソース装置用アダプタ装置１０４とシンク装置用アダプタ装置との認証）とを連携させることができる。
【００７９】
また、シンク装置用アダプタ装置は、ソース装置用アダプタ装置１０４からの認証要求信号の受信などをトリガーに、対応するシンク装置とのＨＤＭＩに基づく認証処理を開始してもよい。この場合、そのＨＤＭＩに基づく認証結果を認証応答情報の生成に反映させることで、シンク装置及びこれに対応するシンク装置用アダプタ装置を繋ぐ区間におけるＨＤＭＩに基づく機器認証と、無線で接続された区間における機器認証とを連携させることが可能となる。
【００８０】
次に、ステップＳ７０３において、制御部２０３は、認証応答信号に含まれるシンク装置用アダプタ装置の機器ＩＤがＥＤＩＤ管理テーブル２０６に登録されているかどうかを判断する。含まれているときは（Ｓ７０３でＹＥＳ）、ステップＳ７０７に進む。一方、含まれていないときは（Ｓ７０３でＮＯ）、ステップＳ７０４に進む。
【００８１】
ステップＳ７０４において、制御部２０３は、認証応答信号を送信してきたシンク装置用アダプタ装置にＥＤＩＤの送信を要求する制御信号であるＥＤＩＤ要求信号を送信する。
【００８２】
ステップＳ７０５において、制御部２０３は、ＥＤＩＤ要求信号を送信したシンク装置用アダプタ装置から、一定時間内にＥＤＩＤ応答信号を受信したか否かを判断する。受信していた場合には（Ｓ７０５でＹＥＳ）、ステップＳ７０６に進む。一方、受信できなかった場合には（Ｓ７０５でＮＯ）、ステップＳ７０５に戻って、ステップＳ７０５の処理を繰り返す。
【００８３】
次に、ステップＳ７０６において、制御部２０３は、受信したＥＤＩＤ応答信号に含まれるＥＤＩＤ情報を、先に受信した認証応答信号に含まれる機器ＩＤと対応付けて、ＥＤＩＤ管理テーブル２０６に格納する。さらに、制御部２０３は、現在接続中のシンク装置のＥＤＩＤ情報をＥＤＩＤテーブル２０５に格納する。
【００８４】
図８は図１のソース装置１０１、シンク装置１０２、シンク装置１０３、ソース装置用アダプタ装置１０４、シンク装置用アダプタ装置１０５、シンク装置用アダプタ装置１０６で送受信される信号を示すシーケンス図である。
【００８５】
なお、図８は、ソース装置１０１の無線接続先が、シンク装置１０２→シンク装置１０３→シンク装置１０２→シンク装置１０３の順で切り替わる場合のシーケンス図である。
【００８６】
図８において、今、ソース装置用アダプタ装置１０４のＥＤＩＤ管理テーブル２０６には、ＥＤＩＤ情報が１つも格納されていないとする。シンク装置用アダプタ装置１０５、シンク装置用アダプタ装置１０６の制御部３０４は、各々シンク装置１０２、シンク装置１０３が電源ＯＮ状態になった時点で、それぞれシンク装置１０２、シンク装置１０３よりＥＤＩＤ情報を取得し、ＥＤＩＤテーブル３０６に格納する（Ｓ８０１、Ｓ８０２）。
【００８７】
まず、ソース装置１０１において、シンク装置１０２にＡＶ信号を伝送する操作がユーザによって行われると、ソース装置１０１はソース装置用アダプタ装置１０４にシンク装置１０２との接続を要求する信号を出力する（Ｓ８０３）。次に、ソース装置用アダプタ装置１０４は、シンク装置用アダプタ装置１０５と認証処理を実行する。認証処理が完了した場合、ソース装置１０１はシンク装置１０２にＥＤＩＤ情報を要求する（Ｓ８０４）。
【００８８】
ソース装置用アダプタ装置１０４の制御部２０３は、ＥＤＩＤ管理テーブル２０６にシンク装置１０２のＥＤＩＤ情報が格納されるか判断する。この場合、シンク装置１０２のＥＤＩＤ情報は格納されていないので、ソース装置用アダプタ装置１０４は、シンク装置用アダプタ装置１０５にシンク装置１０２のＥＤＩＤ情報を要求するＥＤＩＤ要求信号を送信する（Ｓ８０５）。
【００８９】
シンク装置用アダプタ装置１０５の制御部３０４は、ＥＤＩＤ要求信号を受信すると、既に取得しているシンク装置１０２のＥＤＩＤ情報をＥＤＩＤテーブル３０６から取得する。さらに、取得したＥＤＩＤ情報と、自身の機器ＩＤを含むＥＤＩＤ応答信号をソース装置用アダプタ装置１０４に送信する。
【００９０】
ソース装置用アダプタ装置１０４は、受信したＥＤＩＤ応答信号に含まれているシンク装置１０２のＥＤＩＤ情報と、送信元の機器ＩＤ（シンク装置用アダプタ装置１０５の機器ＩＤ）とを対応付けてＥＤＩＤ管理テーブル２０６に格納する。さらに、ソース装置用アダプタ装置１０４は、現在接続しているシンク装置１０２のＥＤＩＤ情報をＥＤＩＤテーブル２０５に格納する。その後、ソース装置用アダプタ装置１０４はソース装置１０１にＥＤＩＤ応答を出力する（Ｓ８０６）。
【００９１】
その後、ソース装置用アダプタ装置１０４とシンク装置用アダプタ装置１０５との無線接続処理が終了すると、ソース装置１０１からシンク装置１０２へ向けて、ＡＶ信号の伝送処理が開始される（Ｓ８０７）。
【００９２】
ＡＶ信号伝送終了後、例えばソース装置１０１を使用するユーザの操作により、シンク装置１０２からシンク装置１０３に接続先を切り替える操作が行われたとする（Ｓ８０８）。
【００９３】
この場合、ソース装置用アダプタ装置１０４とシンク装置用アダプタ装置１０６の間のＨＤＭＩ認証処理の完了後、ソース装置１０１は、シンク装置１０３へ、ＥＤＩＤ情報を要求する（Ｓ８０９）。
【００９４】
次に、ソース装置用アダプタ装置１０４の制御部２０３は、シンク装置１０３のＥＤＩＤ情報がＥＤＩＤ管理テーブル２０６に格納されているかどうかを判断する。この場合も、先のシンク装置１０２と同様、シンク装置１０３のＥＤＩＤ情報はＥＤＩＤ管理テーブル２０６に格納されていない。よって、シンク装置１０２の場合と同様に、ソース装置用アダプタ装置１０４は、シンク装置用アダプタ装置１０６へＥＤＩＤ要求信号を送信する（Ｓ８１０）。その後、シンク装置用アダプタ装置１０６から、ＥＤＩＤ応答信号を受信したソース装置用アダプタ装置１０４は、受信したＥＤＩＤ応答信号に含まれているシンク装置１０３のＥＤＩＤ情報と、シンク装置用アダプタ装置１０６の機器ＩＤとを対応付けてＥＤＩＤ管理テーブル２０６に格納する。
【００９５】
さらに、ソース装置用アダプタ装置１０４は、現在接続しているシンク装置１０３のＥＤＩＤ情報をＥＤＩＤテーブル２０５に格納する。その後、ソース装置用アダプタ装置１０４はソース装置１０１にＥＤＩＤ応答を出力する（Ｓ８１１）。
【００９６】
次に、ソース装置用アダプタ装置１０４とシンク装置用アダプタ装置１０６との無線接続処理が終了すると、ソース装置１０１からシンク装置１０３へ向けて、ＡＶ信号の伝送処理が開始される（Ｓ８１２）。
【００９７】
次に、ＡＶ信号伝送終了後、再び、ソース装置１０１のユーザによる操作によって、接続先をシンク装置１０２に切り替える操作が行われたとする（Ｓ８１３）。
【００９８】
この場合も、ソース装置用アダプタ装置１０４の制御部２０３は、まず、シンク装置用アダプタ装置１０５と認証処理を行う。次に、ソース装置１０１は、ソース装置用アダプタ装置１０４を介して、シンク装置１０２へ向けてＥＤＩＤ要求信号を送信する（Ｓ８１４）。ＥＤＩＤ要求信号を受信したソース装置用アダプタ装置１０４は、先の認証処理で取得した、シンク装置１０２と１対１に対応するシンク装置用アダプタ装置１０５の機器ＩＤがＥＤＩＤ管理テーブル２０６に格納されているかどうかを判断する。
【００９９】
この場合は、シンク装置用アダプタ装置１０５の機器ＩＤはＥＤＩＤ管理テーブル２０６に格納されている。よって、ソース装置用アダプタ装置１０４はＥＤＩＤ管理テーブル２０６に格納されている、シンク装置用アダプタ装置１０５の機器ＩＤに対応するシンク装置１０２のＥＤＩＤ情報をＥＤＩＤテーブル２０５に格納する。さらに、ソース装置用アダプタ装置１０４は、ソース装置１０１にシンク装置１０２のＥＤＩＤ情報を出力する（Ｓ８１５）。
【０１００】
その後、ソース装置用アダプタ装置１０４とシンク装置用アダプタ装置１０５との間で無線接続処理が行われ、ソース装置１０１からシンク装置１０２へ向けたＡＶ信号の伝送処理がソース装置用アダプタ装置１０４及びシンク装置用アダプタ装置１０５を介して実行される（Ｓ８１６）。
【０１０１】
次に、ソース装置１０１のユーザによって、接続先をシンク装置１０３に切り替える操作が行われたとする（Ｓ８１７）。ソース装置用アダプタ装置１０４の制御部２０３が、シンク装置用アダプタ装置１０６と認証処理を行った後、ソース装置１０１は、ソース装置用アダプタ装置１０４を介して、シンク装置１０３へ向けてＥＤＩＤ要求信号を送信する（Ｓ８１８）。
【０１０２】
すると、ソース装置用アダプタ装置１０４は、先の認証処理で取得した、シンク装置１０３に１対１に対応するシンク装置用アダプタ装置１０６の機器ＩＤがＥＤＩＤ管理テーブル２０６に格納されているかどうかを判断する。
【０１０３】
この場合は、シンク装置用アダプタ装置１０６の機器ＩＤはＥＤＩＤ管理テーブル２０６に格納されている。よって、ソース装置用アダプタ装置１０４はＥＤＩＤ管理テーブル２０６に既に格納されているシンク装置用アダプタ装置１０６の機器ＩＤに対応するＥＤＩＤ情報をＥＤＩＤテーブル２０５に格納する。さらに、ソース装置用アダプタ装置１０４は、ソース装置１０１にＥＤＩＤ情報を出力する（Ｓ８１９）。
【０１０４】
その後、ソース装置用アダプタ装置１０４とシンク装置用アダプタ装置１０６との間で無線接続処理が行われ、ソース装置１０１からシンク装置１０３へ向けたＡＶ信号の伝送処理がソース装置用アダプタ装置１０４及びシンク装置用アダプタ装置１０６を介して実行される（Ｓ８２０）。
【０１０５】
すなわち、本実施の形態に係る無線通信システム１００は、映像信号を出力する第１の映像装置（ソース装置）１０１に接続され、映像信号を無線送信する第１の映像装置用アダプタ装置（ソース装置用アダプタ装置）１０４と、無線送信された映像信号を受信し、受信した映像信号を第２の映像装置（シンク装置）１０２に表示させる第２の映像装置用アダプタ装置（シンク装置用アダプタ装置）１０５とを備える無線通信システム１００であって、第１の映像装置用アダプタ装置（ソース装置用アダプタ装置）１０４は、第１の記憶部２０４と、無線送受信部２０２と、第１の制御部２０３とを備える。
【０１０６】
ここで、第１の制御部２０３は、第２の映像装置１０２に映像信号を無線送信する際に、
（ｉ）第２の映像装置１０２に表示させることが可能な映像の仕様を示す第１の設定情報が第１の記憶部２０４に格納されている場合には、第１の記憶部より第１の設定情報を取得し、取得した第１の設定情報を第１の映像装置１０１に送信し、第１の映像装置１０１から第１の設定情報に従った映像信号を受信し、かつ、受信した映像信号を無線送受信部２０２に無線送信させ、
（ｉｉ）第１の設定情報が第１の記憶部２０４に格納されていない場合には、第２の映像装置用アダプタ装置１０５から第１の設定情報を取得し、取得した第１の設定情報を第１の映像装置１０１に送信し、第１の映像装置１０１から第１の設定情報に従った映像信号を受信し、受信した映像信号を無線送受信部２０２に無線送信させ、かつ、第１の設定情報を第１の記憶部２０４に格納する。
【０１０７】
さらに、第２の映像装置用アダプタ装置１０５は、無線送受信部３０２と、第２の映像装置１０２から取得した第１の設定情報を第１の映像装置用アダプタ装置１０４に無線送信する第２の制御部３０４とを備える。
【０１０８】
以上説明した、本実施の形態に係る無線通信システム１００によれば、１度取得したＥＤＩＤ情報を機器ＩＤと対応付けてＥＤＩＤ管理テーブルに格納することにより、過去に無線接続した機器に再度接続する場合、対象機器のＥＤＩＤ情報をＥＤＩＤ管理テーブルから取得することで、無線接続先を切り替える場合の切り替え時間を短縮することができる。
【０１０９】
なお、本実施の形態においては、接続先切り替えのトリガーをソース装置１０１側としたが、接続切り替えのトリガーはシンク装置１０２、又はシンク装置１０３側で行われたユーザによる操作であってもよい。さらに、ソース装置、ソース装置用アダプタ装置及びシンク装置のうちのいずれかが、他の装置と接続を中断したタイミングや、各装置の電源がＯＦＦにされたタイミングなどを、接続先切り替えのトリガーとしてもよい。
【０１１０】
また、ソース装置用アダプタ装置またはシンク装置用アダプタ装置に、複数のソース装置あるいはシンク装置が接続される場合も考えられる。この場合、機器ＩＤとして、たとえば、アダプタ装置が備える無線モジュールの物理アドレス（ＭＡＣアドレスなど）と当該アダプタが備えるソース装置又はシンク装置との有線インタフェースの識別番号との組み合わせを用いることにより、ソース装置あるいはシンク装置を一意に識別することができる。
【０１１１】
また、複数のソース装置およびシンク装置に各々一意に機器ＩＤが割り当てられている場合は、機器ＩＤとして、ソース装置、シンク装置の機器ＩＤを用いることもできる。この場合、シンク装置アダプタ装置のＥＤＩＤテーブルには、接続されているシンク装置の機器ＩＤとＥＤＩＤ情報を対応付けて格納しておくと、認証処理等の時間を短縮することができる。
【０１１２】
（実施の形態２）
次に、従来は、ＡＶ信号を出力するシンク装置が切り替えられる度に必要であった、シンク装置と、そのシンク装置に対応するシンク装置用アダプタ装置との間の同期処理（映像信号の垂直及び水平同期や、スキャン方式の特定など）を省くことで、シンク装置の切替を効率化した無線通信システム１００の実施の形態について説明する。
【０１１３】
なお、本実施の形態の無線通信システム１００の構成は図１と同様であるので、詳細な説明は省略する。
【０１１４】
図９は本発明の実施の形態２に係る無線通信システム１００のシンク装置用アダプタ装置１０５の構成を示すブロック図である。なお、シンク装置用アダプタ装置１０５及びシンク装置用アダプタ装置１０６は同じ構成であるため、ここでは、シンク装置用アダプタ装置１０５について説明する。
【０１１５】
図９に示すシンク装置用アダプタ装置１０５は、アンテナ３０１と、無線送受信部３０２と、有線送受信部３０３と、制御部９０４と、記憶部９０５と、ＥＤＩＤテーブル３０６と、ダミー信号生成部９０７と、フォーマット情報テーブル９０８とを備えて構成される。
【０１１６】
図９のシンク装置用アダプタ装置１０５は、実施の形態１に係るシンク装置用アダプタ装置１０５にダミー信号生成部９０７とフォーマット情報テーブル９０８とを設けたものである。
【０１１７】
制御部９０４は、図３の制御部３０４の動作に加え、記憶部９０５へのフォーマット情報テーブルの書き込みと読み出しを行う。制御部９０４は無線送受信部３０２を介してソース装置１０１より受信したＡＶ信号から、ＡＶ信号に含まれる動画像の画像サイズ、スキャン方式及び同期周波数等、ＡＶ信号を適切に再生するために必要な情報であるフォーマット情報を取り出す。
【０１１８】
その後、制御部９０４は、取得したフォーマット情報を、フォーマット情報テーブル９０８に格納する。すなわち、フォーマット情報テーブル９０８には、シンク装置用アダプタ装置１０５が現在受信している最新のＡＶ信号のフォーマット情報が格納される。なお、シンク装置用アダプタ装置１０５がＡＶ信号を受信していない場合には、直前に受信していたＡＶ信号のフォーマット情報が格納されている。
【０１１９】
制御部９０４は、また、無線送受信部３０２がＡＶ信号を受信しているか否かを定期的に判定する。ここで、仮に、ユーザによるシンク装置の切替操作により、ＡＶ信号を送信するシンク装置が、シンク装置１０２からシンク装置１０３に変更されたとする。すると、ソース装置１０１とシンク装置用アダプタ装置１０５との無線通信（ＡＶ信号の受信）が切断される。
【０１２０】
無線送受信部３０２がＡＶ信号を受信していないと判定した制御部９０４は、フォーマット情報テーブル９０８より読み込んだフォーマット情報をダミー信号生成部９０７に出力する。
【０１２１】
フォーマット情報を取得したダミー信号生成部９０７は、取得したフォーマット情報と同じフォーマット情報をもつＡＶ信号であるダミー信号を生成する。
【０１２２】
制御部９０４は、ソース装置１０１からのＡＶ信号が再度入力されるまで、ダミー信号生成部９０７で生成されたダミー信号を、接続が切断されたシンク装置１０２に出力する。
【０１２３】
すなわち、通常であれば、ソース装置１０１からのＡＶ信号の出力先が別のシンク装置（シンク装置１０３）に切り替えられた結果、ＡＶ信号の入力が数フレーム分無ければ、シンク装置用アダプタ装置１０５とシンク装置１０２との同期は解除される。
【０１２４】
しかし、制御部９０４がＡＶ信号に代わるダミー信号を、再度ＡＶ信号が入力されるまでシンク装置１０２に出力し続けることにより、シンク装置用アダプタ装置１０５とシンク装置１０２の同期を維持することができる。その結果、再度、ソース装置１０１からシンク装置１０２へＡＶ信号が入力された場合に、シンク装置用アダプタ装置１０５とシンク装置１０２の同期処理が不要となる。
【０１２５】
記憶部９０５は、シンク装置１０２のＥＤＩＤテーブル３０６と、フォーマット情報テーブル９０８を格納する。フォーマット情報テーブル９０８には、前述の通り、ソース装置１０１から送信されたＡＶ信号に含まれる映像信号及び音声信号のフォーマット、サイズなどが格納されている。
【０１２６】
図１０は、フォーマット情報テーブル９０８に格納されているフォーマット情報の一例を示す図である。
【０１２７】
図１０に示されるように、フォーマット情報には、映像フォーマットとしては、画像サイズ（有効画素数、総画素数）、スキャン方式（プログレッシブ、インタレース）、水平同期周波数、垂直同期周波数、ピクセル周波数等が含まれる。また、音声フォーマットとしてはサンプリング周波数、サンプルサイズ（ビット数）、チャンネル数、符号化方式情報などが含まれる。
【０１２８】
なお、図１０に示すフォーマット情報は一例であり、これらの情報を間接的に特定する情報であってもよく、また、これ以外の情報が含まれてもよい。
【０１２９】
図１１は、制御部９０４によるダミー信号生成処理の流れを示すフローチャートである。
【０１３０】
図１１のステップＳ１１０１において、まず、制御部９０４は無線送受信部３０２より受信した映像信号のフォーマット情報を取得すると、フォーマット情報テーブル９０８に登録する。すなわち、フォーマット情報テーブル９０８には、常に最新のフォーマット情報が格納される。フォーマット情報テーブル９０８への登録のタイミングは、例えば、事前に定められた時間毎に行ってもよく、シンク装置やシンク装置用アダプタの電源がＯＮにされることをトリガーとしてもよく、ソース装置から送られる特定の制御信号をトリガーとしてもよく、ＡＶ信号を取得する度におこなってもよい。
【０１３１】
ステップＳ１１０２において、制御部９０４は、ソース装置１０１との無線接続が切断されているかどうかを判断し、ＹＥＳのときはステップＳ１１０３に進み、ＮＯのときは、ステップＳ１１０２に戻って処理を繰り返す。
【０１３２】
ステップＳ１１０３において、制御部９０４は、フォーマット情報テーブル９０８からフォーマット情報を取得し、ステップＳ１１０４に進む。ステップＳ１１０４において、制御部９０４は、取得したフォーマット情報をダミー信号生成部９０７に出力し、ダミー信号生成部９０７にフォーマット情報に応じたダミー信号を生成させる。
【０１３３】
ステップＳ１１０５において、制御部９０４は、無線接続が開始されたかどうかを判断し、ＹＥＳのときはステップＳ１１０６に進み、ＮＯのときはステップＳ１１０５に戻って処理を繰り返す。ステップＳ１１０６において、制御部９０４は、ダミー信号生成部９０７にダミー信号生成を中止させ、ステップＳ１１０１に戻る。
【０１３４】
なお、ダミー信号生成部９０７が生成するダミー信号は映像データである場合、フォーマット情報テーブル９０８が格納するフォーマットのうち、画像サイズ、スキャン方式、ピクセル周波数、水平同期周波数、垂直同期周波数が一致しているフォーマットのデータであれば、どんなデータでも構わない。
【０１３５】
図１２はソース装置１０１、シンク装置１０２、シンク装置１０３、ソース装置用アダプタ装置１０４、シンク装置用アダプタ装置１０５、シンク装置用アダプタ装置１０６で送受信される信号を示すシーケンス図である。図１２のシーケンス図は、ソース装置１０１の無線接続先が、シンク装置１０２→シンク装置１０３→シンク装置１０２の順で切り替わる場合のシーケンス図である。
【０１３６】
図１２において、まず、ソース装置１０１からソース装置用アダプタ装置１０４に、シンク装置１０２への接続要求が出力される（Ｓ９０１）。
【０１３７】
次に、ソース装置用アダプタ装置１０４とシンク装置用アダプタ装置１０５間で無線接続処理が行われる。無線接続処理の完了後、ソース装置１０１からシンク装置１０２へのＡＶ信号の送信が、ソース装置用アダプタ装置１０４及びシンク装置用アダプタ装置１０５を介して開始される（Ｓ９０２）。
【０１３８】
この際、シンク装置用アダプタ装置１０５からシンク装置１０２へＡＶ信号が送信される前に、シンク装置用アダプタ装置１０５とシンク装置１０２の間で同期処理が行われる（Ｓ９０３）。
【０１３９】
同期処理とは、前述の通り、例えば図１０に示される信号同期や表示設定に関する情報について、シンク装置用アダプタ装置１０５とシンク装置１０２の双方で設定を一致させる処理である。
【０１４０】
同期完了後、シンク装置用アダプタ装置１０５からシンク装置１０２へ、ＡＶ信号が送信される（Ｓ９０４、Ｓ９０５）。
【０１４１】
ＡＶ信号を受信したシンク装置用アダプタ装置１０５は、受信したＡＶ信号から、フォーマット情報を取り出して、フォーマット情報テーブル９０８に格納する。
【０１４２】
次に、ソース装置１０１において、接続先をシンク装置１０３に切り替える操作が行われると（Ｓ９０６）、ソース装置１０１よりソース装置用アダプタ装置１０４に、シンク装置１０３への接続要求が出力され（Ｓ９０７）、ソース装置用アダプタ装置１０４とシンク装置用アダプタ装置１０６間で無線接続処理が行われる（Ｓ９０８）。
【０１４３】
この時、シンク装置用アダプタ装置１０５では、制御部９０４が、ソース装置用アダプタ装置１０４との無線接続が切断されたと判定すると、ダミー信号生成部９０７に、ダミー信号を生成させ、シンク装置１０２へ出力するよう制御する（Ｓ９０９）。
【０１４４】
シンク装置１０２は直前まで受信していたＡＶ信号と同じフォーマットのダミー信号を受信する。
【０１４５】
シンク装置用アダプタ装置１０５は、ソース装置用アダプタ装置１０４から再度、無線接続要求が届くまで、ダミー信号を生成し、シンク装置１０２に出力する。
【０１４６】
シンク装置１０２においては、実際にはソース装置１０１と接続されてはいないが、シンク装置用アダプタ装置１０５よりダミー信号を受信し続けることで、仮想的にソース装置１０１と接続した状態になる。その結果、ステップＳ９０３で行った同期が有効なまま維持される（Ｓ９１１、Ｓ９１２、Ｓ９１３）。
【０１４７】
一方、ソース装置１０１からシンク装置１０３へのＡＶ信号の送信は、ソース装置用アダプタ装置１０４、シンク装置用アダプタ装置１０６を介して行われる（Ｓ９１０）。
【０１４８】
シンク装置用アダプタ装置１０６は、受信したＡＶ信号からフォーマット情報を取り出して、フォーマット情報テーブル９０８に格納する。
【０１４９】
次に、ソース装置１０１がＡＶ信号を出力するシンク装置が切り替えられ（Ｓ９１４）、再びシンク装置１０２への接続要求が出力される（Ｓ９１５）とする。
【０１５０】
すると、ソース装置用アダプタ装置１０４とシンク装置用アダプタ装置１０５間で無線接続処理が行われる（Ｓ９１６）。ソース装置用アダプタ装置１０４とシンク装置用アダプタ装置１０５間の無線接続処理が終了すると、再度、ステップＳ９０３のような同期処理なしに、ソース装置１０１からシンク装置１０２へＡＶ信号が送信される（Ｓ９１８）。
【０１５１】
また、シンク装置用アダプタ装置１０５は、先にソース装置用アダプタ装置１０４と無線接続した際に、フォーマット情報をフォーマット情報テーブル９０８へ格納しているので、フォーマット情報設定処理をする必要もない。
【０１５２】
また、シンク装置用アダプタ装置１０５が備える制御部９０４は、再度、ソース装置用アダプタ装置１０４と無線接続が開始されたと判定すると、ダミー信号生成部９０７にダミー信号を生成するのを中止させる。
【０１５３】
一方、シンク装置用アダプタ装置１０６が備える制御部９０４は、ソース装置用アダプタ装置１０４との無線接続が切断されたと判定すると、ダミー信号生成部９０７に、ダミー信号を生成させ、シンク装置１０３へ出力するよう制御する（Ｓ９１７）。
【０１５４】
その結果、シンク装置１０３は直前まで受信していたＡＶ信号と同じフォーマットのダミー信号を受信する。シンク装置用アダプタ装置１０６は、ソース装置用アダプタ装置１０４から再度、無線接続要求が届くまで、ダミー信号を生成し、シンク装置１０３に出力する（Ｓ９１９）。シンク装置１０３においては、実際にはソース装置１０１と接続されてはいないが、シンク装置用アダプタ装置１０６よりダミー信号を受信し続けることで、仮想的にソース装置１０１と接続した状態を維持する。
【０１５５】
なお、ダミー信号生成開始後、十分な時間が経過しても再度無線接続が開始されない場合にはダミー信号を停止させることにより、利便性と省電力性のバランスを取る実装とすることも有効である。
【０１５６】
すなわち、本実施の形態に係る無線通信システム１００は、映像信号を出力する第１の映像装置（ソース装置）１０１に接続され、映像信号を無線送信する第１の映像装置用アダプタ装置（ソース装置用アダプタ装置）１０４と、無線送信された映像信号を受信し、受信した映像信号を第２の映像装置（シンク装置）１０２に表示させる第２の映像装置用アダプタ装置（シンク装置用アダプタ装置）１０５とを備えている。
【０１５７】
ここで、第２の映像装置用アダプタ装置１０５は、無線送受信部３０２と、映像信号のフォーマットに一致するフォーマットを有するダミーの映像信号であるダミー信号を生成するダミー信号生成部９０７と、第１の記憶部９０５と、無線送受信部３０２が受信した映像信号のフォーマットを特定するフォーマット情報を第１の記憶部９０５に格納し、かつ、無線送受信部３０２が映像信号を受信しているか否かを判定し、受信していない場合には、ダミー信号生成部９０７に、第１の記憶部９０５に格納されているフォーマット情報によって特定されるフォーマットを有するダミー信号を生成させ、第２の映像装置１０２へ表示させる第１の制御部９０４とを備える。
【０１５８】
以上説明したように、本実施の形態に係る無線通信システム１００によれば、無線接続が切断された場合には、有線接続においてダミー信号を出力することにより、再度無線接続した際に表示設定や信号同期をやり直す必要がないので、一旦切断された無線接続が復活した際に、表示設定や信号同期を省くことができる。
【０１５９】
なお、第１及び第２の実施形態において、記憶部２０４、３０５、９０５にはＤＲＡＭが用いられた。しかし、本発明はこの構成に限らず、ＤＲＡＭに代えて、ＳＲＡＭ（Static Random Access Memory）等のさらに高速のメモリ装置を記憶部に用いてもよい。また、記憶部に不揮発性メモリ装置を用いることにより、アダプタ装置の電源再投入後の接続を短縮することも可能である。
【０１６０】
また、実施の形態１及び２の変形例として、ソース装置用アダプタ装置の機能をソース装置に持たせてもよい。この場合、ソース装置用アダプタ装置と接続せずに、本発明と同様の制御を行うことも可能である。同様に、シンク装置用アダプタ装置の機能をシンク装置に持たせてもよい。図１３に、実施の形態１の変形例に係るソース装置７２０の一構成例を示す。また、図１４に、実施の形態２の変形例に係るシンク装置７３０の一構成例を示す。
【０１６１】
図１３に示すように、ソース装置７２０は、例えば、ソース装置用アダプタ装置における有線送受信部２０１に代えて、ＤＶＤプレーヤなどの信号再生部１３０１を持つ構成となる。また、図１４に示すように、シンク装置７３０は、例えば、テレビジョン受像機のようにシンク装置用アダプタ装置における有線送受信部３０３に代えて、音声信号及び映像信号の両信号を処理する音声及び映像信号処理部１４０１、スピーカ１４０７、表示手段であるディスプレイ１４０８を持つ構成になる。シンク装置７３０は、さらに、ダミー信号生成部１４０９を有しても良い。
【０１６２】
すなわち、無線通信システム１００は、映像信号を無線送信する第１の映像装置（ソース装置）７２０と、無線送信された映像信号を受信し、受信した映像信号を表示させる第２の映像装置（シンク装置）７３０とを備え、第１の映像装置７２０は、第１の記憶部２０４と、無線送受信部２０２と、第１の制御部２０３とを備えるとしてもよい。
【０１６３】
このとき、第１の制御部２０３は、第２の映像装置７３０に映像信号を無線送信する際に、
（ｉ）第２の映像装置７３０に表示させることが可能な映像の仕様を示す第１の設定情報が第１の記憶部２０４に格納されている場合には、第１の記憶部２０４より第１の設定情報を取得し、取得した第１の設定情報に従った映像信号を無線送受信部２０２に無線送信させ、
（ｉｉ）第１の設定情報が第１の記憶部２０４に格納されていない場合には、第２の映像装置７３０から第１の設定情報を取得し、取得した第１の設定情報に従った映像信号を無線送受信部２０２に無線送信させ、かつ、第１の設定情報を第１の記憶部２０４に格納する。
【０１６４】
また、第２の映像装置７３０は、無線送受信部３０２と、第１の設定情報を第１の映像装置７２０に無線送信する第２の制御部３０４とを備える。
【０１６５】
なお、実施の形態１及び２に係るシンク装置用アダプタ装置が備える制御部３０４は、シンク装置を繋ぐＨＤＭＩケーブルが一旦抜かれ、再度、接続されたと判定した場合には、ＥＤＩＤテーブル３０６に格納しているＥＤＩＤ情報を破棄し、又は、再度シンク装置からＥＤＩＤ情報を読み込んでＥＤＩＤテーブル３０６を更新してもよい。
【０１６６】
より具体的には、シンク装置用アダプタ装置１０５が備える制御部３０４は、ＨＤＭＩのＨＰＤ(Hot Plug Detect)信号がＨｉｇｈ状態から、一旦、Ｌｏｗ状態になったあと、再度Ｈｉｇｈ状態になったことを検出することで、シンク装置１０２を繋いでいたＨＤＭＩケーブルが一旦抜かれた後、再度、接続されたと判定できる。
【０１６７】
これにより、例えば、シンク装置用アダプタ装置１０５に接続されているシンク装置が、シンク装置１０２からシンク装置１０３に交換された場合であっても、シンク装置用アダプタ装置１０５は、現在接続されているシンク装置のＥＤＩＤ情報が、自身のＥＤＩＤテーブル３０６に格納されていることを保証できる。
【０１６８】
また、シンク装置用アダプタ装置１０５が備える制御部３０４が、シンク装置１０２を繋いでいたＨＤＭＩケーブルが一旦抜かれ、再度、接続されたと判定した場合には、ソース装置用アダプタ装置１０４は、シンク装置用アダプタ装置１０５の機器ＩＤと対応付けてＥＤＩＤ管理テーブル２０６に格納していたＥＤＩＤ情報を破棄してもよい。
【０１６９】
または、ソース装置用アダプタ装置１０４は、単にＥＤＩＤ情報を破棄するのではなく、シンク装置用アダプタ装置１０５が現在接続されているシンク装置から再度読み込んだ最新のＥＤＩＤ情報を取得し、取得したＥＤＩＤ情報で、シンク装置用アダプタ装置１０５の機器ＩＤと対応付けられてＥＤＩＤ管理テーブル２０６に格納されるＥＤＩＤ情報を更新してもよい。
【０１７０】
これにより、ソース装置用アダプタ装置のＥＤＩＤ管理テーブル２０６に格納されているＥＤＩＤ情報が最新のものであることを保証することができる。
【０１７１】
さらに、ソース装置用アダプタ装置とシンク装置用アダプタ装置の無線接続にＷｉｒｅｌｅｓｓＨＤ(High Definition)規格を使用した場合、ＡＶ信号を送受信するための高速信号(High-Rate PHY(HRP))用の無線チャネルと、制御信号を送受信するための低速信号(Low-Rate PHY(LRP))用の無線チャネルとを同時に使用することができる。
【０１７２】
例えば、ソース装置１０１がシンク装置１０２へＡＶ信号を送信する場合に、ソース装置用アダプタ装置１０４とシンク装置用アダプタ装置１０５を高速信号用の無線チャネルで接続し、ソース装置用アダプタ装置１０４とシンク装置用アダプタ装置１０６を低速信号用の無線チャネルで接続することができる。
【０１７３】
すなわち、無線通信システム１００はさらに、映像信号を受信し、受信した映像信号を第３の映像装置（シンク装置）１０３に表示させる第３の映像装置用アダプタ装置（シンク装置用アダプタ装置）１０６を備え、第１の映像装置用アダプタ装置１０４と第２の映像装置用アダプタ装置１０５は、映像信号を送受信するための第１無線チャネルで接続され、第１の映像装置用アダプタ装置１０４と第３の映像装置用アダプタ装置１０６は、第１無線チャネルよりも低速な第２無線チャネルで接続されている。
【０１７４】
また、第３の映像装置用アダプタ装置１０６は、（ｉ）無線送受信部３０２と、（ｉｉ）自身と第３の映像装置１０３との接続が切断された後に、再度接続されたことを検出した場合には、第３の映像装置１０３に表示させることが可能な映像の仕様を示す第２の設定情報を第３の映像装置１０３から取得し、取得した第２の設定情報と、第３の映像装置１０３に一意に対応付けられた識別情報とを含む制御信号を、第２無線チャネルを介して第１の映像装置用アダプタ装置１０４に無線送信する第３の制御部３０４と、を備えている。
【０１７５】
ここで、第１の映像装置用アダプタ装置１０４が備える第１の制御部２０３は、制御信号を取得すると、識別情報と、第２の設定情報とを、相互に対応付けて第１の記憶部２０４に格納する。
【０１７６】
また、第３の制御部３０４は、第１の制御部２０３が第２の映像装置用アダプタ装置１０５に第１無線チャネルを介して映像信号を無線送信するのと並行して、第１の映像装置用アダプタ装置１０４に第２無線チャネルを介して制御信号を無線送信する。
【０１７７】
これにより、仮に、（１）シンク装置用アダプタ装置１０６が備える制御部３０４が、シンク装置１０３を繋いでいたＨＤＭＩケーブルが一旦外され、その後に再接続されたことを検出し、そのため、（２）シンク装置用アダプタ装置１０６は、上述のように、現在接続されているシンク装置からＥＤＩＤ情報を再取得し、ＥＤＩＤテーブル３０６に格納されているＥＤＩＤ情報を上書きすることで更新した場合には、（３）ソース装置用アダプタ装置１０４からシンク装置用アダプタ装置１０５へのＡＶ信号の送信と並行して、シンク装置用アダプタ装置１０６からソース装置用アダプタ装置１０４へ、ソース装置用アダプタ装置１０４のＥＤＩＤ管理テーブル２０６の修正を要求する制御信号を送ることができる。
【０１７８】
修正を要求する制御信号とは、例えば、シンク装置用アダプタ装置１０６の機器ＩＤを含み、上記の機器ＩＤに対応するＥＤＩＤ情報をＥＤＩＤ管理テーブル２０６から破棄することをソース装置用アダプタ装置１０４に要求する信号が考えられる。または、上記の制御信号は、シンク装置用アダプタ装置１０６の機器ＩＤに加え、ＨＤＭＩケーブルの再接続後にシンク装置用アダプタ装置１０６がシンク装置から取得したＥＤＩＤ情報を含んでおり、ＥＤＩＤ管理テーブル２０６に格納されている、上記機器ＩＤに対応するＥＤＩＤ情報を、制御信号に含まれるＥＤＩＤ情報で更新するよう要求する信号が考えられる。
【０１７９】
ソース装置用アダプタ装置１０４は、低速信号用の無線チャネルを介して受信した制御信号にしたがい、ＥＤＩＤ管理テーブル２０６を更新することで、ＥＤＩＤ管理テーブル２０６に格納されている機器ＩＤとＥＤＩＤ情報との対応関係を常に最新のものとすることができる。
【０１８０】
なお、本実施の形態１及び２並びにその変形例では、ＡＶ信号の通信規格としてＨＤＭＩを使用したが、他の通信規格であっても、圧縮されていない映像信号及び音声信号を送受信するための通信規格を使用しても、同様の効果を奏する。
【０１８１】
なお、同時に使用する無線チャネルは、必ずしも、ＷｉｒｅｌｅｓｓＨＤのＨＲＰとＬＲＰでなくとも、映像信号の送受信と同時並行的に、ＥＤＩＤ情報を含む制御信号の送受信が可能であればよい。具体的には、他の任意の無線通信における多重化技術（例えば、周波数分割多重化、時分割多重化、空間分割多重化、符号分割多重化など）を用いて、ソース装置用アダプタ装置と複数のシンク装置用アダプタ装置の間に、事実上、複数の無線通信チャネルを実現できる方式であればよい。または、有線と無線の２つの通信回線を使用してもよい。
【０１８２】
また、上記実施の形態１又は２に係る無線通信システム１００に含まれる各処理部は典型的には集積回路であるＬＳＩとして実現される。これらは個別に１チップ化されてもよいし、一部又はすべてを含むように１チップ化されてもよい。
【０１８３】
ここでは、ＬＳＩとしたが、集積度の違いにより、ＩＣ、システムＬＳＩ、スーパーＬＳＩ、ウルトラＬＳＩと呼称されることもある。
【０１８４】
また、集積回路化はＬＳＩに限るものではなく、専用回路又は汎用プロセッサで実現してもよい。ＬＳＩ製造後にプログラムすることが可能なＦＰＧＡ（Field Programmable Gate Array）、又はＬＳＩ内部の回路セルの接続や設定を再構成可能なリコンフィギュラブル・プロセッサを利用してもよい。
【０１８５】
さらには、半導体技術の進歩又は派生する別技術によりＬＳＩに置き換わる集積回路化の技術が登場すれば、当然、その技術を用いて各処理部の集積化を行ってもよい。
【０１８６】
また、本発明の実施の形態１又は２に係る、無線通信システム１００の機能の一部又は全てを、ＣＰＵ等のプロセッサがプログラムを実行することにより実現してもよい。
【０１８７】
さらに、本発明は上記プログラムであってもよいし、上記プログラムが記録された記録媒体であってもよい。また、上記プログラムは、インターネット等の伝送媒体を介して流通させることができるのは言うまでもない。
【０１８８】
また、上記実施の形態１又は２に係る、無線通信システム１００、及びその変形例の機能のうち少なくとも一部を組み合わせてもよい。
【０１８９】
また、上記で用いた数字は、すべて本発明を具体的に説明するために例示するものであり、本発明は例示された数字に制限されない。さらに、Ｈｉｇｈ又はＬｏｗにより表される論理レベルは、本発明を具体的に説明するために例示するものであり、例示された論理レベルの異なる組み合わせにより、同等な結果を得ることも可能である。
【０１９０】
また、構成要素間の接続関係は、本発明を具体的に説明するために例示するものであり、本発明の機能を実現する接続関係はこれに限定されない。
【０１９１】
さらに、以下の実施の形態は、ハードウェア及び／又はソフトウェアを用いて構成されるが、ハードウェアを用いる構成は、ソフトウェアを用いても構成可能であり、ソフトウェアを用いる構成は、ハードウェアを用いても構成可能である。
【０１９２】
更に、本発明の主旨を逸脱しない限り、本実施の形態に対して当業者が思いつく範囲内の変更を施した各種変形例も本発明に含まれる。
【産業上の利用可能性】
【０１９３】
本発明に係るシンク装置、ソース装置、シンク装置用アダプタ装置、ソース装置用アダプタ装置、無線通信システム及びその制御方法は、例えば、ＤＶＤプレーヤ及びテレビジョン受像機等のＡＶシステムに利用することができる。
【符号の説明】
【０１９４】
１０１、７２０、１５０１  ソース装置
１０２、１０３、７３０、１５０４  シンク装置
１０４、１５０２  ソース装置用アダプタ装置
１０５、１０６、１５０３  シンク装置用アダプタ装置
１０７、１０８、１０９  ケーブル
２０１、３０３、１５０５、１５１３、１５１７  有線送受信部
２０２、３０２、１５０６、１５１２  無線送受信部
２０３、３０４、９０４、１５０７、１５１４、１５１８  制御部
２０４、３０５、９０５、１５０８、１５１５、１５１９  記憶部
２０５、３０６、１５０９、１５１６、１５２０  ＥＤＩＤテーブル
２０６  ＥＤＩＤ管理テーブル
２０７、３０１、１５１０、１５１１  アンテナ
９０７、１４０９  ダミー信号生成部
９０８  フォーマット情報テーブル
１３０１  信号再生部
１４０１  音声及び映像信号処理部
１４０７  スピーカ
１４０８  ディスプレイ
【図１】
0005520958.tif 000002
【図２】
0005520958.tif 000003
【図３】
0005520958.tif 000004
【図４】
0005520958.tif 000005
【図５】
0005520958.tif 000006
【図６】
0005520958.tif 000007
【図７】
0005520958.tif 000008
【図８】
0005520958.tif 000009
【図９】
0005520958.tif 000010
【図１０】
0005520958.tif 000011
【図１１】
0005520958.tif 000012
【図１２】
0005520958.tif 000013
【図１３】
0005520958.tif 000014
【図１４】
0005520958.tif 000015
【図１５】
0005520958.tif 000016